(57)【要約】【課題】薄型化を促進させるようにした振動アクチュエータを提供すること。【解決手段】開口部を向かい合わせて配設された一対の略カップ状のアウターヨーク３Ａ，３Ｂ内に、同厚寸法の２本の円柱状のマグネット４Ａ，４Ｂ間にセンターヨーク５を配設した芯体６が形成され、前記アウターヨーク５と芯体６との間隙を磁気ギャップ７とした磁気回路装置２と、前記芯体６の外周に遊嵌され、前記磁気ギャップ７内に配置されるコイル１０と、基盤８に基端側を固定され、可動端となる先端側に前記一方のアウターヨーク３Ａの外表面を固定して前記磁気回路装置を片持ち状に支持する板バネ９と、前記コイル１０を支持するように前記コイル１０と基盤８との間を連結するアーム１１とを備える。【選択図】      図１
2004202355.tif 000002
【特許請求の範囲】
【請求項１】
開口部を向かい合わせて配設された一対の略カップ状のアウターヨーク内に、同厚寸法の２本の円柱状のマグネット間にセンターヨークを配設した芯体が形成され、前記アウターヨークおよび前記芯体間の間隙を磁気ギャップとされている磁気回路装置と、
前記芯体の外周に遊嵌され、前記磁気ギャップ内に配置されるコイルと、
基盤に基端側を固定され、可動端となる先端側に前記一方のアウターヨークの外表面を固定して前記磁気回路装置を片持ち状に支持する板バネと、
前記コイルを支持するように前記コイルと基盤との間を連結するアームと、
を備えることを特徴とする振動アクチュエータ。
【発明の詳細な説明】
【０００１】
【発明の属する技術分野】
本発明は、携帯電話、携帯用ゲーム機等に利用される往復動作型の振動アクチュエータに関するものである。
【０００２】
【従来の技術】
従来より、図４および図５に示すように、基盤８に板バネ９の基端側を固定し、可動端となる前記板バネ９の先端側にマグネット４とヨーク３、５とからなる磁気回路装置２を片持ち状に支持し、前記磁気回路装置２の磁気ギャップ７に前記基盤８の座板に配設されたコイル１０を挿入して構成されている振動アクチュエータがある。
【０００３】
【特許文献１】
特開２００１−３４０８１１号公報
【０００４】
【発明が解決しようとする課題】
このような構成の振動アクチュエータを用いる場合、その振動感を高めるためには推力を大きくする必要がある。そして、その方法としては、前記磁気回路のマグネット４の厚さ寸法を厚く（図では上下方向の寸法）して磁束を増やすことが考えられる。
【０００５】
しかしながら、単純に厚いマグネット４を用いるのみでは、ヨーク３，５が飽和しやすくなるため、当該ヨーク３，５の厚さも厚くすることが必要となる。
【０００６】
一方で、近年は、特に携帯電話や携帯用ゲーム機等の小型の機器に用いられる振動アクチュエータ１の薄型化の要請が高まっている。
【０００７】
このように、振動アクチュエータ１の振動感の向上（強振動化）と小型化とは相反するものであった。
【０００８】
本発明は、上述の課題を解決するためになされたもので、特に、薄型化を促進させるようにした振動アクチュエータを提供することを目的とする。
【０００９】
【課題を解決するための手段】
本発明に係る振動アクチュエータは、開口部を向かい合わせて配設された一対の略カップ状のアウターヨーク内に、同厚寸法の２本の円柱状のマグネット間にセンターヨークを配設した芯体が形成され、前記アウターヨークおよび前記芯体間の間隙を磁気ギャップとされている磁気回路装置と、前記芯体の外周に遊嵌され、前記磁気ギャップ内に配置されるコイルと、基盤に基端側を固定され、可動端となる先端側に前記一方のアウターヨークの外表面を固定して前記磁気回路装置を片持ち状に支持する板バネと、前記コイルを支持するように前記コイルと基盤との間を連結するアームとを備えることを特徴とする。
【００１０】
本発明の振動アクチュエータによれば、センターヨークの一方側に配置されたマグネットとこのマグネットを包囲するように配置されたアウターヨークおよびセンターヨークを以て１つの磁気回路を形成し、前記センターヨークの他方側に配置されたマグネットとこのマグネットを包囲するように配置されたアウターヨークおよびセンターヨークを以て、もう１つの磁気回路を形成することができる。このように磁束を倍増させても、ヨークの厚さは倍とする必要がない。よって、振動アクチュエータの強振動化と薄型化とを共に実現することができる。
【００１１】
【発明の実施の形態】
以下、図面と共に本発明による振動アクチュエータの好適な実施形態について詳細に説明する。
【００１２】
本実施形態の振動アクチュエータ１は、携帯電話等の小型の通信機器に組み込まれて利用されるものである。
【００１３】
図１および図２に示すように、この振動アクチュエータ１の磁気回路装置２は、開口部を向かい合わせて配設された一対の略カップ状のアウターヨーク３Ａ，３Ｂ間に、同厚寸法の２本の円柱状のマグネット４Ａ，４Ｂ間にセンターヨーク５を配設した芯体６が配設され、前記アウターヨーク３Ａ，３Ｂと芯体６との間隙を磁気ギャップ７とされた構成を有している。換言すれば、センターヨーク５を介在させて配設した同厚寸法の２本のマグネット４Ａ，４Ｂからなる芯体６の両端部に、磁気ギャップ７を形成しつつ前記各マグネット４Ａ，４Ｂを包囲するようにして、略カップ状のアウターヨーク３Ａ，３Ｂが一体形成されている。このように、略カップ状のアウターヨーク３Ａ，３Ｂをその開口部を向き合うように配設することで磁気回路を取り囲むヨークが均等配置されることとなる。
【００１４】
前記磁気回路装置２は、基盤８の頂部に基端側を固定された板バネ９の可動端となる先端側に前記磁気回路装置２を構成する一方（図面では上方）のアウターヨーク３Ａの外表面を固定して片持ち状に支持されている。
【００１５】
また、前記芯体６の外周にはコイル１０が遊嵌され、前記磁気ギャップ７内に位置するように構成されており、前記コイル１０は、前記基盤８との間を連結するアームとしてのコイル支持部１１によって支承されている。
【００１６】
なお、前記一対のアウターヨーク３は、前記コイル支持部１１を配置させるために、壁部の一部を図３に示すように対称形状に切欠いた切欠部１２を形成してもよい。
【００１７】
このように構成された振動アクチュエータ１は、前記磁気回路装置２内のセンターヨーク５の一方側（図１および図２において上方）に配置されたマグネット４Ａとこのマグネット４Ａを包囲するように配置されたアウターヨーク３Ａおよびセンターヨーク５を以て１つの磁気回路を形成するとともに、また、前記センターヨーク５の他方側（図１および図２において下方）に配置されたマグネット４Ｂとこのマグネット４Ｂを包囲するように配置されたアウターヨーク３Ｂおよびセンターヨーク５を以てもう１つの磁気回路を形成している。
【００１８】
このように磁気回路を２経路とすることで、アウターヨーク３Ａ，３Ｂを薄くすることができる。また、マグネット４Ａ，４Ｂの磁束はセンターヨーク５から効率よくコイル１０と鎖交させることができるため、前述の従来法における構成の振動アクチュエータ１に比して強振動を得ることができる。
【００１９】
つまり、本実施形態においては、従前において使用していたマグネット４の厚さ寸法を１とした場合における１／２の厚さ寸法のマグネット４を２本（４Ａ，４Ｂ）用意し、前述の構成の振動アクチュエータ１に用いることとする。このような構成の本実施形態の振動アクチュエータ１においては、コイル１０を磁気ギャップ７内に位置させた状態における磁気回路装置２の厚さ寸法は、従来の構成の振動アクチュエータ１よりヨーク厚を薄くすることができ、また、磁束を効率よくコイル１０に鎖交させることで、強振動を得られるものとなる。
【００２０】
なお、本発明は、前述した実施の形態に限定されるものではなく、必要に応じて種々の変更が可能である。例えば、前記マグネットは永久磁石を使用することができる。また、図１においては、前記板バネ９を図において上下方向に振動させる場合を想定し、前記磁気回路装置２を前記板バネ９の自由端に支持した状態を示しているが、前記板バネ９を左右方向に振動させるような構成の機器に本実施形態の振動アクチュエータ１を用いる場合には、前記磁気回路装置２は前記板バネ９の左右方向の振動に対して追随するように固着されることとなることはいうまでもない。
【００２１】
【発明の効果】
本発明による振動アクチュエータは、以上のような簡単な構成で、振動アクチュエータの強振動化と薄型化とを実現することができるという優れた効果を奏するものとなる。
【図面の簡単な説明】
【図１】本発明の振動アクチュエータの実施形態の正面図
【図２】図１の振動アクチュエータの磁気回路の断面図
【図３】アウターヨークの切欠き形状を示す説明図
【図４】従来の振動アクチュエータの一例を示す正面図
【図５】図４の振動アクチュエータの磁気回路の断面図
【符号の説明】
１  振動アクチュエータ
２  磁気回路装置
３  アウターヨーク
４  マグネット
５  センターヨーク
６  芯体
７  磁気ギャップ
８  基盤
９  板バネ
１０  コイル
１１  コイル支持部
１２  切欠部
【図１】
2004202355.tif 000003
【図２】
2004202355.tif 000004
【図３】
2004202355.tif 000005
【図４】
2004202355.tif 000006
【図５】
2004202355.tif 000007